【手続補正書】
【提出日】平成20年10月31日(2008.10.31)
【手続補正１】
【補正対象書類名】特許請求の範囲
【補正対象項目名】全文
【補正方法】変更
【補正の内容】
【特許請求の範囲】
【請求項１】
所定の厚さを有し、本体部分及び複数のフランジを有する、事前硬化されたエラストマー材料の層であって、該複数のフランジのそれぞれが、実質的に等しい幅を有すると共に、同じ側から、且つ前記本体部分に対して概ね等しい直角で延びている、エラストマー材料の層と、
前記事前硬化されたエラストマー材料の層の前記複数のフランジを貫通して、前記事前硬化されたエラストマー材料の層を構造物の表面に固定するための複数の留め要素と
を備えることを特徴とする耐爆破パネル。
【請求項２】
前記所定の厚さの硬化されたエラストマー材料の層は、未硬化のエラストマー材料の層を該所定の厚さまで吹き付けるための手段によって形成される、請求項１に記載の耐爆破パネル。
【請求項３】
前記エラストマー材料は、ポリ尿素、ポリシロキサン、ポリウレタン、及びポリ尿素／ポリウレタン混成物から成る群から選択される、請求項２に記載の耐爆破パネル。
【請求項４】
前記エラストマー材料はポリ尿素材料である、請求項３に記載の耐爆破パネル。
【請求項５】
前記エラストマー材料の破断時伸びパーセントは約１００〜８００％の範囲内にあり、引張強さは約２０００ｐｓｉ（約１４０ｋｇ／ｍ２）を超える、請求項３に記載の耐爆破パネル。
【請求項６】
前記エラストマー材料の破断時伸びパーセントは約４００〜８００％の範囲内にある、請求項５に記載の耐爆破パネル。
【請求項７】
前記エラストマー材料の層を吹き付けるための手段又は吹き付けることは、未硬化のエラストマー材料を織物補強層の上に吹きつけるための手段又は吹き付けることをさらに含む、請求項２に記載の耐爆破パネル。
【請求項８】
前記所定の厚さの事前硬化されたエラストマー材料の層は、少なくとも２つの対向するフランジを備える、請求項１〜７のいずれか１項に記載の耐爆破パネル。
【請求項９】
前記本体部分及び前記少なくとも２つの対向するフランジを有する前記エラストマー材料の層内に、織物補強層をさらに備える、請求項８に記載の耐爆破パネル。
【請求項１０】
前記複数の留め要素は、複数の長さのＵ字チャネル、複数の長さのＺ字チャネル、複数の長さの連続した留めストリップ、複数の長さの非連続の留めストリップ、及び複数の座金のうちの少なくとも１つを含む、請求項１〜９のいずれか１項に記載の耐爆破パネル。
【請求項１１】
前記複数の留め要素は、複数の釘、複数のねじ、複数のコンクリート釘、及び複数のコンクリートねじのうちの少なくとも１つをさらに含む、請求項１０に記載の耐爆破パネル。
【請求項１２】
前記複数の留め要素は、糊又はエポキシ樹脂をさらに含む、請求項１１に記載の耐爆破パネル。
【請求項１３】
所定の厚さを有するエラストマー材料の層を吹き付けて、本体部分及び複数のフランジを有する耐爆破パネルを形成すること、ここで該複数のフランジのそれぞれは実質的に等しい幅を有すると共に、同じ側から、且つ前記本体部分に対して概ね等しい直角で延びていること、
前記吹き付けられた耐爆破パネルを硬化させること、及び
硬化されたエラストマー材料の層の前記複数のフランジを貫通して、前記硬化された耐爆破パネルを構造物の表面に固定するための複数の留め要素を設けること
を含むことを特徴とする耐爆破パネルの製造方法。
【請求項１４】
前記所定の厚さの硬化されたエラストマー材料の層は、未硬化のエラストマー材料の層を該所定の厚さまで吹き付けるための手段によって形成される、請求項１３に記載の耐爆破パネルの製造方法。
【請求項１５】
前記エラストマー材料は、ポリ尿素、ポリシロキサン、ポリウレタン、及びポリ尿素／ポリウレタン混成物から成る群から選択される、請求項１４に記載の耐爆破パネルの製造方法。
【請求項１６】
前記エラストマー材料はポリ尿素材料である、請求項１５に記載の耐爆破パネルの製造方法。
【請求項１７】
前記エラストマー材料の破断時伸びパーセントは約１００〜８００％の範囲内にあり、引張強さは約２０００ｐｓｉ（約１４０ｋｇ／ｍ２）を超える、請求項１５に記載の耐爆破パネルの製造方法。
【請求項１８】
前記エラストマー材料の破断時伸びパーセントは約４００〜８００％の範囲内にある、請求項１７に記載の耐爆破パネルの製造方法。
【請求項１９】
前記エラストマー材料の層を吹き付けるための手段又は吹き付けることは、未硬化のエラストマー材料を織物補強層の上に吹きつけるための手段又は吹き付けることをさらに含む、請求項１４に記載の耐爆破パネルの製造方法。
【請求項２０】
前記所定の厚さの事前硬化されたエラストマー材料の層は、少なくとも２つの対向するフランジを備える、請求項１３〜１９のいずれか１項に記載の耐爆破パネルの製造方法。
【請求項２１】
前記本体部分及び前記少なくとも２つの対向するフランジを有する前記エラストマー材料の層内に、織物補強層をさらに備える、請求項２０に記載の耐爆破パネルの製造方法。
【請求項２２】
前記複数の留め要素は、複数の長さのＵ字チャネル、複数の長さのＺ字チャネル、複数の長さの連続した留めストリップ、複数の長さの非連続の留めストリップ、及び複数の座金のうちの少なくとも１つを含む、請求項１３〜２１のいずれか１項に記載の耐爆破パネルの製造方法。
【請求項２３】
前記複数の留め要素は、複数の釘、複数のねじ、複数のコンクリート釘、及び複数のコンクリートねじのうちの少なくとも１つをさらに含む、請求項２２に記載の耐爆破パネルの製造方法。
【請求項２４】
前記複数の留め要素は、糊又はエポキシ樹脂をさらに含む、請求項２３に記載の耐爆破パネルの製造方法。
【請求項２５】
所定の厚さを有するエラストマー材料の層を吹き付けて、本体部分及び複数のフランジを有する耐爆破パネルを形成するための手段と、ここで該複数のフランジのそれぞれが実質的に等しい幅を有すると共に、同じ側から、且つ前記本体部分に対して概ね等しい直角で延びているものであり、
前記吹き付けられた耐爆破パネルを硬化させるための手段と、
硬化されたエラストマー材料の層の前記複数のフランジを貫通して、前記硬化された耐爆破パネルを構造物の表面に固定するための複数の留め要素を設けるための手段と
を備えることを特徴とする耐爆破パネルの製造システム。
【請求項２６】
前記所定の厚さの硬化されたエラストマー材料の層は、未硬化のエラストマー材料の層を該所定の厚さまで吹き付けるための手段によって形成される、請求項２５に記載の耐爆破パネルの製造システム。
【請求項２７】
前記エラストマー材料は、ポリ尿素、ポリシロキサン、ポリウレタン、及びポリ尿素／ポリウレタン混成物から成る群から選択される、請求項２６に記載の耐爆破パネルの製造システム。
【請求項２８】
前記エラストマー材料はポリ尿素材料である、請求項２７に記載の耐爆破パネルの製造システム。
【請求項２９】
前記エラストマー材料の破断時伸びパーセントは約１００〜８００％の範囲内にあり、引張強さは約２０００ｐｓｉ（約１４０ｋｇ／ｍ２）を超える、請求項２７に記載の耐爆破パネルの製造システム。
【請求項３０】
前記エラストマー材料の破断時伸びパーセントは約４００〜８００％の範囲内にある、請求項２９に記載の耐爆破パネルの製造システム。
【請求項３１】
前記エラストマー材料の層を吹き付けるための手段又は吹き付けることは、未硬化のエラストマー材料を織物補強層の上に吹きつけるための手段又は吹き付けることをさらに含む、請求項２６に記載の耐爆破パネルの製造システム。
【請求項３２】
前記所定の厚さの事前硬化されたエラストマー材料の層は、少なくとも２つの対向するフランジを備える、請求項２５〜３１のいずれか１項に記載の耐爆破パネルの製造システム。
【請求項３３】
前記本体部分及び前記少なくとも２つの対向するフランジを有する前記エラストマー材料の層内に、織物補強層をさらに備える、請求項３２に記載の耐爆破パネルの製造システム。
【請求項３４】
前記複数の留め要素は、複数の長さのＵ字チャネル、複数の長さのＺ字チャネル、複数の長さの連続した留めストリップ、複数の長さの非連続の留めストリップ、及び複数の座金のうちの少なくとも１つを含む、請求項２５〜３３のいずれか１項に記載の耐爆破パネルの製造システム。
【請求項３５】
前記複数の留め要素は、複数の釘、複数のねじ、複数のコンクリート釘、及び複数のコンクリートねじのうちの少なくとも１つをさらに含む、請求項３４に記載の耐爆破パネルの製造システム。
【請求項３６】
前記複数の留め要素は、糊又はエポキシ樹脂をさらに含む、請求項３５に記載の耐爆破パネルの製造システム。
【請求項３７】
硬化され且つ事前形成されたエラストマーパネルを、構造物内の柱に貼り付けることであって、該事前形成されたエラストマーパネルは該柱の形状に実質的に適合する、貼り付けること、及び
前記硬化され且つ事前形成されたエラストマーパネルを、複数のブラケット及び複数の機械的留め具を使用して前記柱に留めること
を含むことを特徴とする方法。
【請求項３８】
複数の硬化され且つ事前形成されたエラストマーパネルをトンネルの外表面に貼り付けること、ここで該事前形成されたエラストマーパネルは該トンネルの該外表面の形状に実質的に適合するものであること、及び
前記硬化され且つ事前形成されたエラストマーパネルを、複数のブラケット及び複数の機械的留め具を使用して前記トンネルの前記外表面に留めること
を含むことを特徴とする方法。
【請求項３９】
前記エラストマー材料は、ポリ尿素、ポリシロキサン、ポリウレタン、及びポリ尿素／ポリウレタン混成物から成る群から選択される、請求項３７又は３８に記載の方法。
【請求項４０】
前記エラストマー材料はポリ尿素材料である、請求項３９に記載の方法。
【請求項４１】
前記エラストマー材料の破断時伸びパーセントは約１００〜８００％の範囲内にあり、引張強さは約２０００ｐｓｉ（約１４０ｋｇ／ｍ２）を超える、請求項３９に記載の方法。
【請求項４２】
前記エラストマー材料の破断時伸びパーセントは約４００〜８００％の範囲内にある、請求項３７又は３８に記載の方法。
【請求項４３】
前記複数の硬化され且つ事前形成されたエラストマーパネルを、複数のブラケット及び複数の機械的留め具を使用して前記柱又は前記トンネルの前記外表面に留めることは、
前記事前形成されたエラストマーパネルを、各パネルが各隣接するパネルと密接に接触するように、前記柱又はトンネルの前記外表面の周囲に固定すること、及び
前記固定された事前形成されたエラストマーパネル間の複数の継ぎ目を前記ブラケットで封止すること及び前記機械的留め具を該ブラケット及び該エラストマーパネルに貫通させて前記柱又はトンネルに到達させると共に前記機械的留め具を前記柱又はトンネルに固定すること
を含む、請求項３８に記載の方法。
【請求項４４】
所定の形状及び厚さを有し、構造物の内表面に適合するようになっている硬化され且つ事前形成されたエラストマーパネルであって、該構造物の該内表面の形状に実質的に適合する、硬化され且つ事前形成されたエラストマーパネルと、
前記硬化され且つ事前形成されたエラストマーパネルを前記構造物の前記内表面に留めるための留めシステムと
を備えることを特徴とする耐爆破パネル。
【請求項４５】
前記硬化され且つ事前形成されたエラストマーパネルを前記構造物の前記内表面に留めるための留めシステムは、
複数のねじ山を付けられたボルトと、
連続した留めストリップ、複数の非連続の留めストリップ、及び複数の座金のうちの少なくとも１つと、
複数のナットと
を含む、請求項４４に記載の耐爆破パネル。
【請求項４６】
請求項１、４４及び４５に記載の製品のうちのいずれかを製造するための手段。